(57)【特許請求の範囲】
【請求項１】
衛生用紙に蛍光物質が含まれているか否かを判別する紙質判別キットであって、
紫外線を発する紫外線照射手段と、
前記紫外線照射手段からの紫外線が照射される被照射体と、を有してなり、
前記被照射体は、その表面が前記衛生用紙で拭かれることにより前記衛生用紙から前記表面に紙粉を脱落させるものであり、
前記紫外線照射手段は、前記表面に紫外線を照射して、前記紙粉に吸着している蛍光物質あるいは薬液により紙粉から溶出させた蛍光物質を励起させて発光させるものであることを特徴とする紙質判別キット。
【請求項２】
前記表面に滴下され、前記衛生用紙により拭き取られる液体を有することを特徴とする請求項１に記載の紙質判別キット。
【請求項３】
前記表面には、凹凸部が形成されることを特徴とする請求項１または２に記載の紙質判別キット。
【請求項４】
透明性を備える材料で構成され、判別後の前記表面を覆う保護カバーを有することを特徴とする請求項１〜３のいずれかに記載の紙質判別キット。
【発明の詳細な説明】
【技術分野】
【０００１】
本発明は、紙質判別キットに関し、より詳細には、衛生用紙における蛍光物質含有の有無を判別する紙質判別キットに関する。
【背景技術】
【０００２】
従来、紙の材質を判別するための技術が提案されている（例えば、特許文献１参照）。
【０００３】
特許文献１には、判別対象としての紙に波長帯の異なる複数の照射光を照射する照射部と、波長光の異なるそれぞれの照射光について紙の吸光度を検出する検出部と、複数の吸光度を用いた所定の演算値に基づいて紙質を判別する判別部とを有する紙質判別装置が開示されている。この紙質判別装置では、紙質によって相違する吸光度を検出することにより、紙質を判別する。
【０００４】
ところで、トイレットロール、ハンドタオル、キッチンタオル、紙製ワイパーに代表される衛生用紙（以下「衛生用紙」という。）には、牛乳パックの再生紙など比較的衛生的な材料からなる製品と、一般的な古紙の再生紙からなる製品とがあり、市場には、これらの製品が混在している。古紙の再生紙からなる衛生用紙には、古紙由来の蛍光物質（蛍光染料）が含まれている場合がある。このため、使用する衛生用紙に蛍光物質が含まれていないことを確認した上で、衛生的な衛生用紙を安心して使いたいという要望がある。このような要望に応えるため、近年、衛生用紙における蛍光物質含有の有無を容易に判別できる技術が求められている。
【先行技術文献】
【特許文献】
【０００５】
【特許文献１】特開２００３−３１５２６０号公報
【発明の概要】
【発明が解決しようとする課題】
【０００６】
しかしながら、特許文献１の紙質判別装置は、紙の吸光度を検出して紙幣等の真偽を判別するための装置であって、衛生用紙における蛍光物質含有の有無を容易に判別するための装置ではない。
【０００７】
このように、従来、蛍光物質含有の有無、とりわけ蛍光物質を有する衛生用紙の使用におけるパルプ繊維（以下、「紙粉」という）の脱落挙動に関して容易に判別できる技術は無かった。このため、例えば、衛生的な衛生用紙を需要者（購買者等）に提案する場合、需要者側から、蛍光物質が含まれていないことを確認したいとの要望を受けても、その場で調べることができなかった。このような場合、要望を一旦持ち帰り、分析装置を用いて蛍光物質が含まれていないことを調べ、その後、改めて分析結果を需要者に報告する必要があった。すなわち、需要者の要望に対して、迅速に対応することができなかった。
【０００８】
したがって、蛍光物質含有の有無の判別が求められるとき、その場で容易に調べることができる判別技術が望まれる。その場で容易に判別できれば、需要者が正しい情報に基づいて衛生的な衛生用紙を選択・使用できるようになるため、品質誤認の防止や虚偽表示の防止にも貢献できる。さらに、製品の適正価格を判断する情報を提供することにもなる。
【０００９】
本発明は、このような事情に鑑みてなされたものであり、その目的は、蛍光物質含有の有無を任意の場所で高い再現性をもって、迅速且つ容易に判別することができる紙質判別キットを提供することにある。
【課題を解決するための手段】
【００１０】
このような目的を達成するため、本発明は、以下の構成によって把握される。
本発明は、衛生用紙に蛍光物質が含まれているか否かを判別する紙質判別キットであって、紫外線を発する紫外線照射手段と、前記紫外線照射手段からの紫外線が照射される被照射体と、を有してなり、前記被照射体は、その表面が前記衛生用紙で拭かれることにより前記衛生用紙から前記表面に紙粉を脱落させるものであり、前記紫外線照射手段は、前記表面に紫外線を照射して、前記紙粉に吸着している蛍光物質あるいは薬液により紙粉から溶出させた蛍光物質を励起させて発光させるものであることを特徴とする。薬液には、例えば水酸化ナトリウム水溶液を始めとする、各種塩基性の水溶液などがある。また、薬液はｐＨが１１以上が好ましい。
【００１１】
この構成により、衛生用紙に蛍光物質が含まれている場合、被照射体の表面に蛍光物質の発光（蛍光反応）を視認することができる。一方、衛生用紙に蛍光物質が含まれていない場合、被照射体の表面に蛍光反応は現れない。このように、本発明によれば、被照射体の表面を衛生用紙で拭いて紫外線を当てるだけの簡便な作業で、衛生用紙に蛍光物質が含まれているか否かを判別することができる。したがって、衛生用紙における蛍光物質含有の有無を任意の場所で、迅速且つ容易に判別することができる。
【００１２】
また、衛生用紙における蛍光物質の存在を被照射体において可視化できるので、説得力のある判別結果を示すことができる。
【００１３】
また、衛生用紙で拭いた後の被照射体において蛍光反応を視認できるので、蛍光物質を含む衛生用紙を使用すると、本来の拭き取り対象（例えば、人の皮膚、物品・食品の表面）にも蛍光物質が移る可能性があることを容易に理解することができる。
【００１４】
上記発明は、前記表面に滴下され、前記衛生用紙により拭き取られる液体を有することを特徴とする。
【００１５】
この構成により、衛生用紙が液体によって脆くなるため、紙粉あるいは蛍光物質が衛生用紙から脱落し易くなる。よって、判別の精度を高めることができる。また、衛生用紙に蛍光物質が含まれている場合、薬液により、蛍光物質を紙粉から溶出・分離させることができ、蛍光物質のみに紫外線を暗所下で直接照射して蛍光反応を確認することもできる。したがって、蛍光物質が付着した紙粉の脱落に加え、蛍光物質を溶出させることによっても、判別を行うことができる。
【００１６】
上記発明は、前記表面には、凹凸部が形成されることを特徴とする。
【００１７】
この構成により、衛生用紙が凹凸部に擦り付けられるため、紙粉あるいは蛍光物質が衛生用紙から良好に脱落する。よって、判別の精度を一層高めることができる。また、凹凸部によって、例えば、被照射体の表面を、ハンドタオル・トイレットペーパーなどの使用時における手のひらの皺や手の甲の皺など、人体の皮膚の複数の皺に見立てることができる。あるいは、被照射体の表面を、キッチンペーパーなどで拭き取られる各種食品の表面や、紙製ワイパーなどで家庭・オフィス・実験室等に置かれる家具類を含む各種物品の表面に見立てることができる。このように、凹凸部により、実際の使用条件に近い状態を創出し、その条件を実際の使用状況と見立てた上での検査を実施することができる。
【００１８】
上記発明は、透明性を備える材料で構成され、判別後の前記表面を覆う保護カバーを有することを特徴とする。
【００１９】
この構成により、判別後の被照射体の表面を保護カバーで保護することができる。したがって、表面を保護した状態で被照射体の実物を保管したり、関係者に回覧したりすることができる。
【発明の効果】
【００２０】
本発明の紙質判別キットによれば、衛生用紙における蛍光物質含有の有無を任意の場所で高い再現性をもって、迅速且つ容易に判別することができる。また、検査対象物（衛生用紙）の判別結果を最小限の分量で導くことができる。
【図面の簡単な説明】
【００２１】
【図１】本発明に係る実施形態の紙質判別キットの斜視図である。
【図２】図１のＡ−Ａ線断面図であり、被照射体の断面図である。
【図３】図１のＢ−Ｂ線断面図であり、支持台の断面図である。
【図４】被照射体を装着する方法を説明する図である。
【図５】液体を滴下する方法を説明する図である。
【図６】衛生用紙で液体を拭き取る方法を説明する図である。
【図７】被照射体の表面に紫外線を照射する方法を説明する図であり、（ａ）は牛乳パックの再生紙からなる衛生用紙を供した場合を示す図、（ｂ）はバージンパルプからなる衛生用紙を供した場合を示す図、（ｃ）は紫外線を照射する向きの例を説明する図である。
【図８】被照射体の表面に紫外線を照射する方法を説明する図であり、古紙の再生紙からなる衛生用紙を供した場合を示す図である。
【図９】保護カバーを被照射体の表面に貼り付ける方法を説明する図である。
【図１０】判別後の被照射体の使用例を説明する図である。
【図１１】判別後の被照射体の他の使用例を説明する図である。
【発明を実施するための形態】
【００２２】
以下、添付図面を参照して、本発明を実施するための形態（以下、「実施形態」という。）について詳細に説明する。なお、実施形態の説明の全体を通して同じ要素には同じ番号を付している。また、図面は、符号の向きに見るものとする。また、実施形態において、「前」、「後」は、各々、判別する者（検査者）から被照射体を見たときの「手前側」、「奥側」を示す。
【００２３】
図１は、実施形態の紙質判別キットの構成要素の斜視図である。
図１に示すように、実施形態の紙質判別キット１０は、衛生用紙（ここでは、３種類の衛生用紙１１Ａ〜１１Ｃ）に蛍光物質が含まれているか否かを判別するものであって、紫外線を発する紫外線照射手段３０と、紫外線照射手段３０からの紫外線が照射される被照射体４０と、被照射体４０を支持する支持台５０と、被照射体４０に滴下される液体１２とを主要素とする。
【００２４】
紙質判別キット１０は、これらの主要素を収納して持ち運ぶための収納バッグ１３を有してもよい。収納バッグ１３の形態および種類は、紙質判別キット１０の各構成要素を収納できる構成であれば、任意である。また、紙質判別キット１０には、必要に応じて、棒状器具１４、実験用手袋１５、ピンセット１６、試験液１７、撮像手段１９などを構成要素として含めてもよい。
【００２５】
衛生用紙１１Ａ〜１１Ｃは、紙質判別キット１０に供する試料であり、他の物品との接触や汚れの付着を避けるため、各々、保管袋１８に密封状態で保管されることが望ましい。衛生用紙１１Ａ〜１１Ｃは、例えば、キッチンタオル、ハンドタオル、トイレットロール、紙ワイパーであり、人の皮膚や、各種食品、家庭・オフィス・実験室等に置かれる家具類を含む各種物品から、水、油、汚れなどを手拭きなどで吸収するためのものである。また、衛生用紙１１Ａ〜１１Ｃの使用対象には、食品・医療品などの製造に供される製造機械、品質管理用機器、品質管理用器具などが含まれる。
【００２６】
この例では、衛生用紙１１Ａは、牛乳パックの再生紙からなる試料であり、蛍光物質を含んでいない。また、衛生用紙１１Ｂは、バージンパルプを原料とする試料であり、衛生用紙１１Ａと同様に蛍光物質を含んでいない。そして、衛生用紙１１Ｃは、古紙の再生紙からなる試料であり、古紙由来の蛍光物質を含んでいる。
【００２７】
紫外線照射手段３０には、長波長の紫外線を発するブラックライトを用いることができる。ここで、紫外線波長は、例えば、３００ｎｍ〜４５０ｎｍの範囲から設定することが望ましく、特に３００ｎｍ〜３７５ｎｍ程度がより好適である。紫外線照射手段３０の軸方向の一端には、紫外線を放射する照射部３１が設けられる。紫外線照射手段３０は、この照射部３１から被照射体４０の表面４１に紫外線を照射して、紙粉と共に表面４１に脱落した蛍光物質を励起させ、発光させるものである。紫外線照射手段３０の光源には、各種の光源を用いることができるが、特に被照射体４０に効率よく紫外線を照射でき、明るい環境でも明確な蛍光反応が得られるハンディタイプのＬＥＤ（発光ダイオード）を用いることが好適である。
【００２８】
被照射体４０は、その表面４１が衛生用紙１１Ａ〜１１Ｃで拭かれることにより衛生用紙１１Ａ〜１１Ｃから表面４１に紙粉を脱落させるものである。この例では、被照射体４０を板状に形成し、且つ、被照射体４０の外形はいずれの形状でもよいが、長方形状に形成することが好ましい。これにより、被照射体４０の上面には、長方形状の表面４１が形成される。被照射体４０の個数は、ここでは、試料（衛生用紙１１Ａ〜１１Ｃ）の種類数に合わせ、少なくとも２枚以上に設定される。なお、被照射体４０の表面４１の詳細な構成については、後述する。
【００２９】
液体１２は、通常、容器２１に保存されており、検査の際には、被照射体４０の表面４１に滴下され、衛生用紙１１Ａ〜１１Ｃにより拭き取られるものである。液体１２は、手軽に検査に用いることができる水（水量は数ｍｌ〜２００ｍｌ程度、特に１０ｍｌ前後が好適）が好ましいが、衛生用紙１１Ａ〜１１Ｃを脆くする薬液、あるいは、蛍光物質の発光を高める薬液であれば、種類は任意である。容器２１は、いわゆる滴下容器など各種の容器から選択可能である。液体１２は、容器２１から表面４１に直接滴下してもよいし、ピペットやスポイトなどを用いて容器２１から取り出して表面４１に滴下あるいは塗布してもよい。
【００３０】
支持台５０は、被照射体４０を支持する台であり、実験台や各種の机などに安定的に設置される台本体５１と、台本体５１の後部に回動可能に設けられる蓋体５２とを有する。台本体５１は、任意の形状から選択可能である。この例では、台本体５１の外形を長方形状に形成して、台本体５１の上面に、被照射体４０の外形に合わせた長方形状の凹部５３を形成した。凹部５３は、被照射体４０を着脱可能に保持する機能を有する。また、台本体５１の後下部には、凹部５３を前傾させるための脚部５５が設けられる。脚部５５の底面には、滑り防止材（例えば、ゴム材料からなる板材）を貼り付けるなどして、設置面において台本体５１が滑ることを防ぐことが望ましい。なお、凹部５３のさらに詳しい構成については、後述する。
【００３１】
蓋体５２は、矢印（１）で示す方向に回動可能であり、凹部５３の開放側を上から開閉する。蓋体５２の裏面には、判別後の表面４１を覆う保護カバー５６が着脱可能に設けられる。保護カバー５６は、透明性を備える材料で構成され、接着面５７を前面に有する。この接着面５７には、通常、剥離シート（例えば、シリコーン製の剥離紙）５８が剥離可能に装着されている。
【００３２】
試験液１７は、例えば、手洗い評価用に広く利用されている、いわゆる蛍光ローションであり、蛍光剤、安定剤、保湿剤等を含む。試験液１７を保存するための容器２２は、液体１２の容器２１と同様に、各種の容器から選択可能である。この試験液１７は、被照射体４０において蛍光反応を単に発生させたいとき（例えば、紙質判別キット１０を用いた紙質判別のデモンストレーションを行うときなど）に用いる。
【００３３】
次に、被照射体４０の表面４１の構成を図２に基づいて説明する。
図２に示すように、被照射体４０の表面４１は平面状に広がる面であるが、表面４１には、多数の突起４２および多数の凹み４３からなる凹凸部４５が形成される。凹凸部４５は、樹脂成形品のシボ加工に代表される各種の凹凸加工によって得ることができる。凹凸部４５の大きさ、深さ、個数、配列は、要求される機能に応じて任意に設定可能であるが、凹凸部４５は、例えば、人の皮膚を見立てたものに構成することができる。また、被照射体４０のうち少なくとも表面４１は、蛍光反応が観察し易い黒色系または濃色系の材料で構成することが望ましい。
【００３４】
被照射体４０を構成する材料は、任意の材料から選択可能であるが、軽くて加工性の良い合成樹脂材料が好ましい。また、被照射体４０の材料には、各種番丁のサンドペーパーを用いてもよい。さらに、被照射体４０の材料には、麻などの各種の布、あるいは、布を板紙などの各種板材に貼り付けたものなどを用いてもよい。このように布を被照射体４０の材料として用いる場合、衛生用紙１１Ａ〜１１Ｃの紙粉や蛍光物質の脱落を良好にするため、格子状に織られた布、目の粗い布を選択することが望ましい。
【００３５】
次に、支持台５０の凹部５３の構成を図３に基づいて説明する。
図３に示すように、凹部５３の深さｄは、被照射体４０の厚みに応じて設定されるが、例えば、１〜２０ｍｍの範囲から選択され、３ｍｍ程度が望ましい。また、被照射体４０の脱着作業を容易にするため、凹部５３の内周壁５３ａまたは被照射体４０の外周に、人の指が挿入可能な挿入部を設けてもよい。また、被照射体４０が柔らかい素材で構成される場合、より安定的に被照射体４０を凹部５３に保持させるため、台本体５１は、被照射体４０よりも硬い基材で構成されることが望ましい。
【００３６】
なお、本実施形態では、被照射体４０を凹部５３に保持させるようにしたが、この他、支持台５０を無くして、被照射体４０を机などの設置面に直接置いても差し支えない。この場合、被照射体４０の底面に滑り防止材（例えば、ゴム材料からなる板材）を貼り付けて、設置面において被照射体４０が滑ることを防ぐことが望ましい。
【００３７】
次に、紙質判別キット１０の使用方法を図４〜図９に基づいて説明する。
まず、検査者は、実験用手袋１５（図１参照）を身に付けた後、図４（ａ）に示すように、台本体５１の上に被照射体４０を移動する（矢印（２））。そして、図４（ｂ）に示すように、被照射体４０を凹部５３に係合させて装着する。次に、図５に示すように、被照射体４０の表面４１に、容器２１（図１参照）内の水などの液体１２を適量（数ｍｌ〜２００ｍｌ程度、特に１０ｍｌ前後が好適）滴下し、表面４１を濡らす。
【００３８】
続いて、図６（ａ）に示すように、調べたい衛生用紙（ここでは、衛生用紙１１Ａ）を、例えば棒状器具１４（図１参照）あるいはピンセット１６（図１参照）を用いて、保管袋１８から取り出す（矢印（３））。取り出した衛生用紙１１Ａを適当な形に丸めたり折り畳んだりして、図６（ｂ）に示すように、衛生用紙１１Ａを用いて表面４１上の液体１２を拭き取る。このとき、凹凸部４５（図２参照）に衛生用紙１１Ａが擦り付けられて、衛生用紙１１Ａの一部の紙粉が表面４１に脱落する。なお、より多くの紙粉や蛍光物質を衛生用紙から脱落させるため、比較検査対象物の検査方法との同一性を失わない程度に、上記に示す動作をそれぞれ複数回繰り返してもよい。
【００３９】
液体１２を表面４１から完全に拭き取った後、図７（ａ）に示すように、照射部３１を下に向けて、紫外線照射手段３０から紫外線３２を表面４１に照射する。衛生的な再生紙からなる衛生用紙１１Ａでは、若干の紙粉６１が観察されるが、紙粉６１自体が蛍光物質を含んでいないため、蛍光反応は現れない。この結果から、衛生用紙１１Ａは、蛍光物質を含まない製品であると判別される。
【００４０】
以上の要領で、衛生用紙１１Ｂ，１１Ｃ（図１参照）についても、未使用の別の被照射体４０を使用して紙質の判別を行い、比較する。なお、被照射体４０に対する紫外線照射手段３０の位置・向きは任意であるが、図７（ｃ）に示すように、蛍光反応をより観察し易くするため、照射部３１を表面４１に近づけると共に、検査者の視界を妨げないように紫外線照射手段３０を傾けるようにしてもよい。
【００４１】
バージンパルプからなる衛生用紙１１Ｂ（図１参照）では、図７（ｂ）に示すように、紙粉６１が多いものの、衛生用紙１１Ａ（図１参照）の場合と同様、紙粉６１自体が蛍光物質を含んでいないため、蛍光反応は現れない。
【００４２】
これに対して、古紙の再生紙からなる衛生用紙１１Ｃ（図１参照）では、図８に示すように、脱落した紙粉６１に付着した蛍光物質６２、あるいは、薬液により紙粉６１から分離した蛍光物質６２が、紫外線３２により励起され蛍光反応が現れる。この結果から、衛生用紙１１Ｃ（図１参照）は、蛍光物質６２を含む製品であると判別される。
【００４３】
なお、紙質判別キット１０のデモンストレーションを行うときなど、被照射体４０の表面４１に蛍光反応を単に発生させたいときは、液体１２（図１参照）の代わりに試験液１７（図１参照）を検査に供することで、蛍光物質を含まない衛生用紙を用いても蛍光反応を得ることができる。
【００４４】
紙質の判別後、被照射体４０をそのままの状態で保管したい場合は、剥離シート５８（図１参照）を剥がした後、図９（ａ）に示すように、蓋体５２を凹部５３側に回動させて倒し（矢印（４））、保護カバー５６の接着面５７を被照射体４０の表面４１に被せて接着すると共に保護カバー５６を蓋体５２から分離する。これにより、図９（ｂ）に示すように、判別後の被照射体４０の表面４１が保護カバー５６で覆われる。
【００４５】
以上、説明した紙質判別キット１０の効果について述べる。
衛生用紙１１Ｃのように蛍光物質６２が含まれている場合、被照射体４０の表面４１において蛍光反応を視認できる一方、衛生用紙１１Ａ，１１Ｂのように蛍光物質が含まれていない場合、被照射体４０の表面４１に蛍光反応が現れない。したがって、衛生用紙１１Ａ〜１１Ｃで表面４１を拭いて紫外線３２を当てるだけの簡便な作業で、衛生用紙１１Ａ〜１１Ｃに蛍光物質６２が含まれているか否かを判別することができる。紙質判別キット１０によれば、衛生用紙１１Ａ〜１１Ｃにおける蛍光物質含有の有無を任意の場所で高い再現性をもって、迅速且つ容易に判別することができる。また、検査対象物（衛生用紙１１Ａ〜１１Ｃ）の判別結果を最小限の分量で導くことができる。
【００４６】
また、蛍光物質６２の存在を被照射体４０の表面４１において可視化できるので、説得力のある判別結果を示すことができる。なお、撮像手段１９（例えば、動画、静止画、音声を記録可能なデジタルカメラなど）を用いて、検査の過程や判別の結果を記録して、記録した映像、画像、音声を需要者に提供してもよい。
【００４７】
また、衛生用紙１１Ａ〜１１Ｃで拭いた後の表面４１において判別を行うので、衛生用紙１１Ｃのように蛍光物質６２が含まれている場合、衛生用紙１１Ｃの本来の拭き取り対象（例えば、人の皮膚、物品・食品の表面）にも蛍光物質６２が脱落する（移る）可能性があることを容易に理解することができる。
【００４８】
また、水などの液体１２を用いることにより、衛生用紙１１Ａ〜１１Ｃが脆くなるため、衛生用紙１１Ａ〜１１Ｃから紙粉６１あるいは蛍光物質６２が脱落し易くなる。よって、判別の精度を高めることができる。また、衛生用紙１１Ｃのように蛍光物質６２が含まれている場合、薬液（例えば、アルカリ性の液体）からなる液体１２を用いて、蛍光物質６２を紙粉６１から溶出・分離させることができ、蛍光物質６２のみに紫外線３２を暗所下で直接照射して蛍光反応を確認することもできる。したがって、蛍光物質６２が付着した紙粉６１の脱落に加え、蛍光物質６２を溶出させることによっても、判別を行うことができる。
【００４９】
また、凹凸部４５に衛生用紙１１Ａ〜１１Ｃが擦り付けられるため、衛生用紙１１Ａ〜１１Ｃから紙粉６１あるいは蛍光物質６２が良好に脱落する。これにより、判別の精度を一層高めることができる。また、凹凸部４５によって、例えば、被照射体４０の表面４１を、ハンドタオル・トイレットペーパーなどの使用時における手のひらの皺や手の甲の皺など、人体の皮膚の複数の皺に見立てることができる。あるいは、被照射体４０の表面４１を、キッチンペーパーなどで拭き取られる各種食品の表面や、紙製ワイパーなどで家庭・オフィス・実験室等に置かれる家具類を含む各種物品の表面に見立てることができる。このように、凹凸部４５により、実際の使用条件に近い状態を創出し、その条件を実際の使用状況と見立てた上での検査を実施することができる。
【００５０】
また、判別後の被照射体４０の表面４１を保護カバー５６で保護できるので、凹部５３から取り外した被照射体４０の実物を保管したり、関係者に回覧したりすることができる。例えば、図１０に示すように、需要者は、品質管理の記録として、品質管理帳６３に被照射体４０をロット毎に保管することができる。また、図１１に示すように、被照射体４０の側部に穴６５を設けることで、需要者は、いわゆる２穴ファイルなどに被照射体４０を綴じたり、バインダーに綴じたりして、関係者に回覧することができる。
【００５１】
さらに、実施形態では、被照射体４０を凹部５３に係合させて保持させるようにした。これにより、被照射体４０が柔らかく変形し易い場合であっても、被照射体４０の形態が安定化する。このため、被照射体４０の表面４１を衛生用紙１１Ａ〜１１Ｃで拭き取る作業が行い易くなる。
【００５２】
加えて、被照射体４０の表面４１が脚部５５によって検査者側に前傾するので、被照射体４０の表面４１が観察し易くなる。
【００５３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００５４】
例えば、前述した実施形態においては、液体を用いることで判別の精度を高めるようにしたが、液体が無くても十分な蛍光反応が得られる場合、液体は使用しなくてもよい。また、凹凸部についても同様であり、凹凸部が無くても蛍光反応が十分に得られる場合、被照射体の表面を平坦に形成しても差し支えない。
【符号の説明】
【００５５】
１０    紙質判別キット
１１Ａ  衛生用紙
１１Ｂ  衛生用紙
１１Ｃ  衛生用紙
１２    液体
３０    紫外線照射手段
４０    被照射体
４１    表面
４５    凹凸部
５６    保護カバー
６１    紙粉
６２    蛍光物質
【図１】
0005878825.tif 000002
【図２】
0005878825.tif 000003
【図３】
0005878825.tif 000004
【図４】
0005878825.tif 000005
【図５】
0005878825.tif 000006
【図６】
0005878825.tif 000007
【図７】
0005878825.tif 000008
【図８】
0005878825.tif 000009
【図９】
0005878825.tif 000010
【図１０】
0005878825.tif 000011
【図１１】
0005878825.tif 000012